(57)【要約】【課題】操作ハンドルの一端部に、アウターパネル内に一部が突入される支持腕部が設けられ、その支持腕部の先端部がアウターパネルに固定される軸部で回動可能に支持される車両用ドアのアウトハンドル装置において、操作ハンドルのがたつきを防止する。【解決手段】支持腕部１５の先端部に、操作ハンドル１２の非操作状態で車両内側に向けて開口するＵ字状の軸受凹部２６が形成され、上下方向に延びる軸線を有して軸受凹部に嵌合する軸部１７を有する支持部材２７が、アウターパネル１１に固定されるベース部材１４に車両内側から取付けられ、ベース部材１４に操作ハンドル１２の非操作状態で支持腕部１５の先端部に軸部１７と反対側から当接する規制面が形成される。【選択図】        図３
2018071265.tif 000002
【特許請求の範囲】
【請求項１】
車両用ドア（Ｄ）が有するアウターパネル（１１）の外側で車両前後方向に延びる操作ハンドル（１２）の一端部に、前記アウターパネル（１１）内に一部が突入される支持腕部（１５）が設けられ、その支持腕部（１５）の先端部が、前記アウターパネル（１１）に固定される軸部（１７）で回動可能に支持される車両用ドア（Ｄ）のアウトハンドル装置において、前記支持腕部（１５）の先端部に、前記操作ハンドル（１２）の非操作状態で車両内側に向けて開口するＵ字状の軸受凹部（２６）が形成され、上下方向に延びる軸線を有して前記軸受凹部（２６）に嵌合する軸部（１７）を有する支持部材（２７）が、前記アウターパネル（１１）に固定されるベース部材（１４）に車両内側から取付けられ、前記ベース部材（１４）に前記操作ハンドル（１２）の非操作状態で前記支持腕部（１５）の先端部に前記軸部（１７）と反対側から当接する規制面（４３）が形成されることを特徴とする車両用ドアのアウトハンドル装置。
【請求項２】
前記支持部材（２７）が、前記ベース部材（１４）への弾発係合で該ベース部材（１４）に取付けられることを特徴とする請求項１に記載の車両用ドアのアウトハンドル装置。
【請求項３】
前記ベース部材（１４）は、前記支持腕部（１５）を上下から挟む一対の側板（１４ａ，１４ｂ）を有し、それらの側板（１４ａ，１４b ）に、車両内側からの前記軸部（１７）の挿入を可能とした挿入凹部（２８）がそれぞれ設けられ、前記軸受凹部（２６）に前記軸部（１７）を嵌合させる取付け位置と、前記ベース部材（１４）に対する前記支持部材（２７）の取付け方向（３０）で前記取付け位置よりも後方に設定される仮組み位置との間での前記支持部材（２７）の移動をガイドする支持部材ガイド（２９）が、前記挿入凹部（２８）の車両前後方向に沿う前後で前記取付け方向（３０）に沿って延びるようにして前記一対の側板（１４ａ，１４ｂ）にそれぞれ対をなして設けられ、前記支持部材（２７）に、前記支持部材ガイド（２９）にそれぞれ設けられる係止凹部（３４）に前記仮組み位置で弾発係合される仮組み用係合突起（３５）と、前記取付け位置で前記係止凹部（３４）に弾発係合される取付け用係合突起（３６）とが設けられることを特徴とする請求項２に記載の車両用ドアのアウトハンドル装置。
【請求項４】
前記支持部材（２７）が、車両前後方向で前記挿入凹部（２８）の前後に配置される支持部材ガイド（２９）でそれぞれガイドされるようにして前記取付け方向（３０）に沿って延びる４つの棒状枠部（３７）と、それらの棒状枠部（３７）のうち上方に配置される一対の棒状枠部（３７）の前記取付け方向（３０）に沿う前端寄りの中間部間を連結する上部連結板部（３８）と、前記４つの棒状枠部（３７）のうち下方に配置される一対の棒状枠部（３７）の前記取付け方向に沿う前端寄りの中間部間を連結する下部連結板部（３９）と、前記上部連結板部（３８）および前記下部連結板部（３９）間に架設される前記軸部（１７）と、前記４つの棒状枠部（３７）の前記取付け方向（３０）に沿う後端に連設される操作部（４０）とを一体に有し、前記４つの前記棒状枠部（３７）の前端部に前記仮組み用係合突起（３５）がそれぞれ突設され、前記取付け方向（３０）に沿って前記操作部（４０）よりも前方で前記４つの棒状枠部に（３７）前記取付け用係合突起（３６）がそれぞれ突設され、前記操作部（４０）に、前記軸部（１７）と平行に延びるスリット（４１）が形成されることを特徴とする請求項３に記載の車両用ドアのアウトハンドル装置。
【発明の詳細な説明】
【技術分野】
【０００１】
本発明は、車両用ドアが有するアウターパネルの外側で車両前後方向に延びる操作ハンドルの一端部に、前記アウターパネル内に一部が突入される支持腕部が設けられ、その支持腕部の先端部が、前記アウターパネルに固定される軸部で回動可能に支持される車両用ドアのアウトハンドル装置に関する。
【背景技術】
【０００２】
このような車両用ドアのアウトハンドル装置は、特許文献１で既に知られている。
【先行技術文献】
【特許文献】
【０００３】
【特許文献１】特許第３５９７６７０号公報
【発明の開示】
【発明が解決しようとする課題】
【０００４】
ところが、上記特許文献１で開示されたものでは、操作ハンドルの支持腕部の先端部に、操作ハンドルの非操作状態で車両前後方向前方に向けて開く嵌合凹部が形成され、ベース部材に設けられる軸部が前記嵌合凹部に嵌合されており、操作ハンドルの車両前後方向、特に後方へのがたつきが生じ易い。
【０００５】
本発明は、かかる事情に鑑みてなされたものであり、操作ハンドルのがたつきを防止し得るようにした車両用ドアのアウトハンドル装置を提供することを目的とする。
【課題を解決するための手段】
【０００６】
上記目的を達成するために、本発明は、車両用ドアが有するアウターパネルの外側で車両前後方向に延びる操作ハンドルの一端部に、前記アウターパネル内に一部が突入される支持腕部が設けられ、その支持腕部の先端部が、前記アウターパネルに固定される軸部で回動可能に支持される車両用ドアのアウトハンドル装置において、前記支持腕部の先端部に、前記操作ハンドルの非操作状態で車両内側に向けて開口するＵ字状の軸受凹部が形成され、上下方向に延びる軸線を有して前記軸受凹部に嵌合する軸部を有する支持部材が、前記アウターパネルに固定されるベース部材に車両内側から取付けられ、前記ベース部材に前記操作ハンドルの非操作状態で前記支持腕部に前記軸部と反対側から当接する規制面が形成されることを第１の特徴とする。
【０００７】
また本発明は、第１の特徴の構成に加えて、前記支持部材が、前記ベース部材への弾発係合で該ベース部材に取付けられることを第２の特徴とする。
【０００８】
本発明は、第２の特徴の構成に加えて、前記ベース部材が有する上下一対の側板に、車両内側からの前記軸部の挿入を可能とした挿入凹部がそれぞれ設けられ、前記軸受凹部に前記軸部を嵌合させる取付け位置と、前記ベース部材に対する前記支持部材の取付け方向で前記取付け位置よりも後方に設定される仮組み位置との間での前記支持部材の移動をガイドする支持部材ガイドが、前記挿入凹部の車両前後方向に沿う前後で前記取付け方向に沿って延びるようにして前記一対の側板にそれぞれ対をなして設けられ、前記支持部材に、前記支持部材ガイドにそれぞれ設けられる係止凹部に前記仮組み位置で弾発係合される仮組み用係合突起と、前記取付け位置で前記係止凹部に弾発係合される取付け用係合突起とが設けられることを第３の特徴とする。
【０００９】
さらに本発明は、第３の特徴の構成に加えて、前記支持部材が、車両前後方向で前記挿入凹部の前後に配置される支持部材ガイドでそれぞれガイドされるようにして前記取付け方向に沿って延びる４つの棒状枠部と、それらの棒状枠部のうち上方に配置される一対の棒状枠部の前記取付け方向に沿う前端寄りの中間部間を連結する上部連結板部と、前記４つの棒状枠部のうち下方に配置される一対の棒状枠部の前記取付け方向に沿う前端寄りの中間部間を連結する下部連結板部と、前記上部連結板部および前記下部連結板部間に架設される前記軸部と、前記４つの棒状枠部の前記取付け方向に沿う後端に連設される操作部とを一体に有し、前記４つの前記棒状枠部の前端部に前記仮組み用係合突起がそれぞれ突設され、前記取付け方向に沿って前記操作部よりも前方で前記４つの棒状枠部に前記取付け用係合突起がそれぞれ突設され、前記操作部に、前記軸部と平行に延びるスリットが形成されることを第４の特徴とする。
【発明の効果】
【００１０】
本発明の第１の特徴によれば、操作ハンドルに設けられた支持腕部の先端部に車両内側に向けて開口するＵ字状の軸受凹部が形成され、アウターパネルに固定されるベース部材に車両内側から取付けられる支持部材が上下方向に延びる軸部を有し、その軸部が軸受凹部に嵌合されるので、車両前後方向の操作ハンドルのがたつきを防止することができる。またベース部材に形成される規制面が、操作ハンドルの非操作状態で支持腕部の先端部に軸部と反対側から当接するので、支持腕部の先端部が、軸部および規制面によって車両の内外方向で挟まれることになり、車両の内外方向での操作ハンドルのがたつきも防止することができる。
【００１１】
また本発明の第２の特徴によれば、支持部材が弾発係合でベース部材に取付けられるので、支持部材のベース部材への取付けが容易となる。
【００１２】
本発明の第３の特徴によれば、支持部材が、ベース部材が有する上下一対の側板に一対ずつ設けられる支持部材ガイドによるガイドで、軸受凹部に軸部を嵌合させる取付け位置と、仮組み位置との間で移動することが可能であり、支持部材ガイドに設けられる係止凹部に仮組み位置で弾発係合する仮組み用係合突起が支持部材に設けられるので、支持部材を仮組みした状態でベース部材を出荷することができ、アウトハンドル装置の組み付け時に後工程での組み付け工数削減に寄与することができる。
【００１３】
さらに本発明の第４の特徴によれば、支持部材は、４つの支持部材ガイドでそれぞれガイドされるようにして取付け方向に沿って延びる４つの棒状枠部と、上方に配置される一対の棒状枠部の前端寄りの中間部間を連結する上部連結板部と、前下方に配置される一対の棒状枠部の前端寄りの中間部間を連結する下部連結板部と、上部および下部連結板部間に架設される軸部と４つの棒状枠部の後端に連設される操作部とを一体に有しており、各棒状枠部の前端部に仮組み用係合突起が突設されるので、操作部を押して支持部材をベース部材側に押し込むと各棒状枠部の前端部を車両前後方向に撓ませて仮組み用係合突起を係止凹部に弾発係合させることができ、また仮組み位置から取付け位置に向けて支持部材をベース部材側に押し込むと操作部にスリットが形成されていることによって各棒状枠部の後部を車両前後方向に撓ませて取付け用突起を係止凹部に弾発係合させることができ、支持部材のベース部材に対する着脱作業が容易となる。
【図面の簡単な説明】
【００１４】
【図１】車両用ドアの側面図である。
【図２】図１の２−２線断面図である。
【図３】操作ハンドル、ベース部材および支持部材の分解斜視図である。
【図４】ベース部材の上部側面の要部斜視図である。
【図５】支持部材の斜視図である。
【図６】支持部材を仮組した状態でのベース部材の斜視図である。
【図７】支持部材が仮組みされた状態（ａ）ならびに支持部材が取付けられた状態（ｂ）を図１の７−７線に沿って示す断面図である。
【図８】支持部材が取付けられた状態でのベース部材の斜視図である。
【発明を実施するための形態】
【００１５】
以下、本発明の実施の形態を、添付の図１〜図８に基づいて説明すると、先ず図１および図２において、たとえばサイドドアである車両用ドアＤのアウターパネル１１には、該アウターパネル１１の外側で車両の前後方向（図２の左右方向）に延びる操作ハンドル１２が、車両用ドアＤの外側で開扉操作することを可能として回動可能に取付けられる。
【００１６】
前記アウターパネル１１には、前記操作ハンドル１２を把持する車両ユーザの手を挿入することを可能とするための窪み１３を形成する彎曲部１１ａが車両内側に向けて膨らむようにして設けられる。
【００１７】
図３を併せて参照して、前記アウターパネル１１の内面には、車両前後方向に延びるベース部材１４が固定される。前記操作ハンドル１２の一端部（この実施の形態では車両前後方向に沿う前端部）には、前記アウターパネル１１内に一部が突入される支持腕部１５が設けられ、その支持腕部１５の先端部が、前記アウターパネル１１に固定される軸部１７で回動可能に支持される。また前記操作ハンドル１２の他端部（この実施の形態では車両前後方向に沿う後端部）には、前記アウターパネル１１内に突入される連結腕部１６が連設される。
【００１８】
前記ベース部材１４の車両前後方向に沿う後部には後部挿入孔１８が設けられる。前記アウターパネル１１には、その後部挿入孔１８に対応した貫通孔 (図示せず）が設けられており、前記連結腕部１６は前記貫通孔を貫通して前記後部挿入孔１８に挿入される。前記連結腕部１６は、車両用ドアＤ内に配置されるラッチ機構（図示せず）に連動、連結されるものであり、前記ラッチ機構がアンロック状態にあるときに、前記操作ハンドル１２を車両用ドアＤの外方側に引き出す方向に操作することによって、前記ラッチ機構は車両用ドアＤの閉状態を解除することになり、操作ハンドル１２の操作により車両用ドアＤを開放することが可能となる。しかも前記操作ハンドル１２は、図示しない付勢手段によって前記連結腕部１６が車両用ドアＤの内方側に引き込まれる側に付勢される。
【００１９】
前記連結腕部１６よりも車両前後方向に沿う後方で前記ベース部材１４には、メカニカルキー（図示せず）によって前記ラッチ機構のロック状態およびアンロック状態を切り替えるシリンダ錠１９（図１参照）が固定される。また前記操作ハンドル１２の車両前後方向後方で前記アウターパネル１１には、前記操作ハンドル１２が非操作状態にあるときに前記操作ハンドル１２に円滑に連なるようにして前記アウターパネル１１から外側方に隆起するベースカバー２０が、前記シリンダ錠１９の一部を覆うようにして固定されており、このベースカバー２０には、前記シリンダ錠１９のキー孔２１を臨ませる円形の開口部２２が設けられる。
【００２０】
前記操作ハンドル１２の前記ベースカバー２０側の端部には、車両ユーザが車両用ドアＤをロックする意志を確認するためのタクトスイッチ（図示せず）が配設されており、前記操作ハンドル１２には、前記タクトスイッチを押圧操作するためのスイッチボタン２３を臨ませる開口部２４が設けられる。
【００２１】
前記支持腕部１５は、前記ベース部材１４の車両前後方向に沿う前部内に突入するようにして略Ｌ字状に形成されており、前記ベース部材１４には、前記支持腕部１５を挿入するための前部挿入孔２５が設けられ、前記アウターパネル１１にはその前部挿入孔２５に対応した貫通孔 (図示せず）が設けらる。
【００２２】
前記アウターパネル１１を貫通して前記前部挿入孔２５から前記ベース部材１４の車両前後方向に沿う前部に挿入される前記支持腕部１５の先端部には、前記操作ハンドル１２の非操作状態で車両内側に向けて開口するＵ字状の軸受凹部２６が形成され、上下方向に延びる軸線を有して前記軸受凹部２６に嵌合する前記軸部１７を有する支持部材２７が、前記アウターパネル１１に固定されるベース部材１４に車両内側からの弾発係合によって取付けられる。
【００２３】
前記ベース部材１４は、当該ベース部材１４内に挿入された前記支持腕部１５を上下から挟む一対の側板１４ａ，１４ｂ、すなわち前記支持腕部１５の上方に配置される第１の側板１４ａならびに第１の側板１４ａとの間に前記支持腕部１５を挟むようにして前記支持腕部１５の下方に配置される第２の側板１４ｂを有しており、第１および第２の側板１４ａ，１４ｂには、車両内側からの前記軸部１７の挿入を可能とした挿入凹部２８がそれぞれ設けられる。
【００２４】
図４を併せて参照して、前記第２の側板１４ｂには、前記支持部材２７の移動をガイドするようにして前記挿入凹部２８の車両前後方向に沿う前後に配置される一対の支持部材ガイド２９が、前記ベース部材１４への前記支持部材２７の車両内側からの取付け方向３０に沿って延びるようにして設けられ、この実施の形態では、前記支持部材ガイド２９は前記第２の側板１４ｂの外側面に設けられる。
【００２５】
前記支持部材ガイド２９は、前記第２の側板１４ｂの外側面に立設されて前記取付け方向３０に沿って延びるとともに前記取付け方向３０に沿う後端部には前記挿入凹部２８側に突出した突出部分３１ａが設けられる立ち上がり壁部３１と、前記突出部分３１ａの一部を除く部分で前記立ち上がり壁部３１に連設されて前記挿入凹部２８側に張り出す庇部３２とを備えており、前記取付け方向３０に沿って長く延びるガイド溝３３が、前記第１の側板１４ａの外側面、前記立ち上がり壁部３１および前記庇部３２によって形成される。
【００２６】
前記挿入凹部２８の前後両側で第２の側板１４ｂの外側面に設けられる前記支持部材ガイド２９は、前記支持腕部１５の軸受凹部２６に前記支持部材２７の前記軸部１７を嵌合させる取付け位置（図２で示す位置）と、前記取付け方向３０で前記取付け位置よりも後方に設定される仮組み位置との間で前記支持部材２７の移動をガイドすることができ、前記支持部材ガイド２９の前記立ち上がり壁部３１における前記突出部分３１ａの前記挿入凹部２８側に臨む側面には、前記仮組み位置で前記支持部材２７を弾発係合して仮組状態で保持するとともに前記取付け位置で前記支持部材２７を弾発係合して当該支持部材２７を前記ベース部材１４に取付けるための係止凹部３４が設けられる。
【００２７】
第１の側板１４ａの外側面にも、第２の側板１４ｂと同様に、前記支持部材２７の移動をガイドするようにして前記挿入凹部２８の車両前後方向に沿う前後に配置される一対の支持部材ガイド２９が、前記取付け方向３０に沿って延びるようにして設けられる。
【００２８】
図５を併せて参照して、前記支持部材２７には、前記支持部材ガイド２９にそれぞれ設けられる前記係止凹部３４に前記仮組み位置で弾発係合される仮組み用係合突起３５と、前記取付け位置で前記係止凹部３４に弾発係合される取付け用係合突起３６とが設けられる。
【００２９】
前記支持部材２７は、前記支持部材ガイド２９でそれぞれガイドされるようにして前記取付け方向３０に沿って延びる４つの棒状枠部３７と、それらの棒状枠部３７のうち上方に配置される一対の棒状枠部３７の前記取付け方向３０に沿う前端寄りの中間部間を連結する上部連結板部３８と、前記４つの棒状枠部３７のうち下方に配置される一対の棒状枠部３７の前記取付け方向３０に沿う前端寄りの中間部間を連結する下部連結板部３９と、前記上部連結板部３８および前記下部連結板部３９間に架設される前記軸部１７と、前記４つの棒状枠部３７の前記取付け方向３０に沿う後端に連設される操作部４０とを一体に有する。
【００３０】
前記仮組み用係合突起３５は、前記４つの前記棒状枠部３７の前記取付け方向３０に沿う前端部にそれぞれ突設され、前記取付け用係合突起３６は前記取付け方向３０に沿って前記操作部４０よりも前方かつ前記上部連結板部３８および前記下部連結板部３９よりも後方で前記４つの棒状枠部３７にそれぞれ突設される。
【００３１】
前記操作部４０は、前記４つの棒条枠部３７のうち車両前後方向前方に配置される２つの棒状枠部３７の前記取付け方向３０に沿う前端部を連結する操作片４０ａと、前記４つの棒条枠部３７のうち車両前後方向後方に配置される２つの棒状枠部３７の前記取付け方向３０に沿う後端部を連結する操作片４０ｂとで構成されており、それらの操作片４０ａ，４０ｂは、前記軸部１７と平行に延びるスリット４１を相互間に形成するようにして略Ｌ字状の横断面形状を有するように形成される。すなわち操作部４０には、前記軸部１７と平行に延びるスリット４１が形成される。
【００３２】
前記支持部材２７を前記ベース部材１４に取付けるにあたっては、先ず図６および図７（ａ）で示すように、操作ハンドル１２の支持腕部１５がベース部材１４内に挿入される前の状態で、支持部材２７が前記取付け方向３０に沿う前端部に有する仮組用係合突起３５を支持部材ガイド２９の係止凹部３４に弾発係合する。この際、支持部材２７の上部および下部連結板部３８，３９よりも前記取付け方向３０に沿う前方で４つの棒状枠部３７は自由状態にあって車両前後方向に撓むことができるので、前記係止凹部３４への仮組用係合突起３５の弾発係合は容易である。
【００３３】
前記ベース部材１４に仮組された前記支持部材２７を前記ベース部材１４に取付けるにあたっては、前記操作ハンドル１２に連なる支持腕部１５を前記ベース部材１４内に挿入した状態で前記支持部材２７を前記取付け方向３０に押し込むと、前記仮組用係合突起３５は、前記支持部材ガイド２９の前記突出部分３１ａを乗り越えて前記ガイド溝３３内に進入し、図７（ｂ）および図８で示すように、前記支持腕部１５の前記嵌合凹部２６に前記支持部材２７の前記軸部１７が嵌合し、前記支持部材２７の前記取付け用突起３６が前記支持部材ガイド２９の前記係止凹部３４に弾発係合し、支持部材２７の前記ベース部材１４への取付けが完了する。しかも前記取付け用突起３６の前記係止凹部３４への弾発係合時に、前記支持部材２７の操作部４０は前記軸部１７と平行なスリット４１を有するので、支持部材２７の前記取付け方向３０に沿う後部で４つの棒状枠部３７は自由状態にあって車両前後方向に撓むことができ、前記係止凹部３４への前記取付け用係合突起３６の弾発係合は容易である。
【００３４】
前記支持部材２７の前記軸部１７が前記支持腕部１５の嵌合凹部２６に嵌合した状態で前記操作ハンドル１２が操作されない非操作状態では、前記支持腕部１５の先端部に前記軸部１７と反対側から当接する規制面４３が、前記ベース部材１４に形成される。
【００３５】
次にこの実施の形態の作用について説明すると、車両用ドアＤが有するアウターパネル１１の外側で車両前後方向に延びる操作ハンドル１２の一端部に設けられる支持腕部１５の先端部が、前記アウターパネル１１に固定される軸部１７で回動可能に支持されるのであるが、前記支持腕部１５の先端部に、前記操作ハンドル１２の非操作状態で車両内側に向けて開口するＵ字状の軸受凹部２６が形成され、上下方向に延びる軸線を有して前記軸受凹部２６に嵌合する軸部１７を有する支持部材２７が、前記アウターパネル１１に固定されるベース部材１４に車両内側から取付けられるので、車両前後方向の操作ハンドル１２のがたつきを防止することができる。また前記ベース部材１４に前記操作ハンドル１２の非操作状態で前記支持腕部１５の先端部に前記軸部１７と反対側から当接する規制面４３が形成されるので、支持腕部１５の先端部が、軸部１７および規制面４３によって車両の内外方向で挟まれることになり、車両の内外方向での操作ハンドル１２のがたつきも防止することができる。
【００３６】
また前記支持部材２７が、前記ベース部材１４への弾発係合で該ベース部材１４に取付けられるので、支持部材２７のベース部材１４への取付けが容易となる。
【００３７】
また前記ベース部材１４は、前記支持腕部１５を上下から挟む一対の側板１４ａ，１４ｂを有し、それらの側板１４ａ，１４ｂに、車両内側からの前記軸部１７の挿入を可能とした挿入凹部２８がそれぞれ設けられ、前記軸受凹部２６に前記軸部１７を嵌合させる取付け位置と、前記ベース部材１４に対する前記支持部材２７の取付け方向３０で前記取付け位置よりも後方に設定される仮組み位置との間での前記支持部材２７の移動をガイドする支持部材ガイド２９が、前記挿入凹部２８の車両前後方向に沿う前後で前記取付け方向３０に沿って延びるようにして前記一対の側板１４ａ，１４ｂにそれぞれ対をなして設けられ、前記支持部材２７に、前記支持部材ガイド２９にそれぞれ設けられる係止凹部３４に前記仮組み位置で弾発係合される仮組み用係合突起３５と、前記取付け位置で前記係止凹部３４に弾発係合される取付け用係合突起３６とが設けられるので、支持部材２７を仮組みした状態でベース部材１４を出荷することができ、アウトハンドル装置の組み付け時に後工程での組み付け工数削減に寄与することができる。
【００３８】
さらに前記支持部材２７が、車両前後方向で前記挿入凹部の前後に配置される支持部材ガイド２９でそれぞれガイドされるようにして前記取付け方向３０に沿って延びる４つの棒状枠部３７と、それらの棒状枠部３７のうち上方に配置される一対の棒状枠部３７の前記取付け方向３０に沿う前端寄りの中間部間を連結する上部連結板部３８と、前記４つの棒状枠部３７のうち下方に配置される一対の棒状枠部３７の前記取付け方向３０に沿う前端寄りの中間部間を連結する下部連結板部３９と、前記上部連結板部３８および前記下部連結板部３９間に架設される前記軸部１７と、前記４つの棒状枠部３７の前記取付け方向３０に沿う後端に連設される操作部４０とを一体に有し、前記４つの前記棒状枠部３７の前端部に前記仮組み用係合突起３５がそれぞれ突設され、前記取付け方向３０に沿って前記操作部よりも前方で前記４つの棒状枠部３７に前記取付け用係合突起３６がそれぞれ突設され、前記操作部４０に、前記軸部１７と平行に延びるスリット４１が形成されるので、操作部４０を押して支持部材２７をベース部材１４側に押し込むと各棒状枠部３７の前端部を車両前後方向に撓ませて仮組み用係合突起３５を係止凹部３４に弾発係合させることができ、また仮組み位置から取付け位置に向けて支持部材２７をベース部材１４側に押し込むと操作部４０にスリット４１が形成されていることによって各棒状枠部３７の後部を車両前後方向に撓ませて取付け用突起３６を係止凹部３４に弾発係合させることができ、支持部材２７のベース部材１４に対する着脱作業が容易となる。
【００３９】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００４０】
１１・・・アウターパネル
１２・・・操作ハンドル
１４・・・ベース部材
１４ａ，１４ｂ・・・側板
１５・・・支持腕部
１７・・・軸部
２６・・・軸受凹部
２７・・・支持部材
２８・・・挿入凹部
２９・・・支持部材ガイド
３０・・・取付け方向
３４・・・係止凹部
３５・・・仮組み用係合突起
３６・・・取付け用係合突起
３７・・・棒状枠部
３８・・・上部連結板部
３９・・・下部連結板部
４０・・・操作部
４１・・・スリット
４３・・・規制面
Ｄ・・・車両用ドア
【図１】
2018071265.tif 000003
【図２】
2018071265.tif 000004
【図３】
2018071265.tif 000005
【図４】
2018071265.tif 000006
【図５】
2018071265.tif 000007
【図６】
2018071265.tif 000008
【図７】
2018071265.tif 000009
【図８】
2018071265.tif 000010